(57)【要約】  【課題】粉末原料の原料箱内での固着を防止するために相対湿度を下げるための加熱装置を備えているが、コーヒー豆が原料箱に保管される場合、周囲温度の上昇によって品質の低下を招きやすく、保存期間が低減するという課題があった。  【解決手段】本発明の原料箱は、原料箱１２の周囲にある湿った空気が、送風ファン１５にて乾燥庫１３内から除湿器１７に取込まれて除湿器１７内にあるアキュームレータ１６にあてられ、アキュームレータ１６は冷凍サイクルの蒸発器下流、かつ蒸発器近傍にあるため、冷凍サイクルが運転中の場合、低温になっており、空気中の水分がアキュームレータ１６にて結露および凝固することで空気中の水分が取除かれることにより、乾燥庫１３内を除湿することができる。【選択図】図１
2008040653.tif 000002
【特許請求の範囲】
【請求項１】
カップ式自動販売機内に冷凍サイクルの蒸発器に接続した製氷装置と、前記製氷装置の近傍に原料を保管する原料箱と、前記蒸発機の下流にアキュームレータを備え、さらに前記アキュームレータと前記原料箱間にダクトを形成することを特徴とするカップ式自動販売機。
【請求項２】
カップ式自動販売機内に冷凍サイクルの蒸発器に接続した製氷装置と、前記製氷装置の近傍に原料を保管する原料箱と、前記蒸発機の下流にアキュームレータ、前記アキュームレータと前記原料箱間のダクトを備え、さらにダクトに送風ファンを設けることを特徴とする請求項１に記載のカップ式自動販売機。
【請求項３】
カップ式自動販売機内において、風上から原料箱、送風ファン、アキュームレータの順に配置することを特徴とする請求項２に記載のカップ式自動販売機。
【請求項４】
カップ式自動販売機内において、風上からアキュームレータ、送風ファン、原料箱の順に配置することを特徴とする請求項２に記載のカップ式自動販売機。
【請求項５】
カップ式自動販売機内において、風上から原料箱、アキュームレータ、原料箱の順に配置され、風上側の前記原料箱と前記アキュームレータ間、または、前記アキュームレータと風下側の前記原料箱間のどちらか一方、または、双方に送風ファンを配置することを特徴とする請求項２に記載のカップ式自動販売機。
【請求項６】
カップ式自動販売機内において、アキュームレータ下方に廃水容器を配置することを特徴とする請求項２から請求項５のいずれか一項に記載のカップ式自動販売機。
【発明の詳細な説明】
【技術分野】
【０００１】
本発明は、原料の固形化を防止するカップ式自動販売機に関するものである。
【背景技術】
【０００２】
従来、この種のカップ式自動販売機の原料箱は吸湿しやすい粉末原料を収容する際、原料箱を直接あるいは間接的に加温して相対湿度を低下させることで、粉末原料の固形化を防止している。
【０００３】
図３は、特許文献１に記載されたカップ式自動販売機の原料箱の図を示すものである。図３に示すように、粉末原料１を収容した原料箱２、原料箱２内で電動機３と連結されるスクリュー４、原料箱２から粉末原料１が吐出される際にガイドとなる口金５、スクリュー４と噛合い粉末原料１を攪拌するための歯車６、粉末原料１を乾燥するための乾燥機７および乾燥機７からの熱風を原料箱２に導入するためのダクトホース８から構成されている。
【０００４】
以上のように構成された原料箱について、以下その動作を説明する。
【０００５】
まず、電動機３が回転することにより、スクリュー４が回転して、粉末原料１が送り出され、口金５から吐出されるが、この際、スクリュー４に連動して歯車６が回転し、原料箱２内の攪拌を行い、粉末原料１の固形化を防止する。また、吐出待機時は、乾燥機７からの熱風をダクトホース８経由で原料箱２に導入し、粉末原料１の温度を上昇することで乾燥および相対湿度を低下させて、原料粉末１の固形化を防止する。
【特許文献１】特開平８−３０８６２号公報
【発明の開示】
【発明が解決しようとする課題】
【０００６】
しかしながら、上記従来の構成では、粉末原料を乾燥させて原料箱内での固形化を防止するために乾燥機を備え、原料箱とホースでつないで熱風を吹付けることで原料の固形化を防止していたが、専用に乾燥機を備えるのでコストがかかり、また、乾燥機を配置するスペースが必要になり、自動販売機庫内が煩雑になる。
【０００７】
また、コーヒー豆が原料箱に保管される場合、周囲温度の上昇によって品質の低下を招きやすく、保存期間が低減するという課題があった。
【０００８】
本発明は、上記従来の課題を解決するもので、現在ある冷凍サイクルを利用して、吸湿しやすい粉末原料を収容した原料箱周囲の空気を取込んで除湿することができ、さらに現在ある冷凍サイクルを利用して、冷気を取込み、コーヒー豆が収容された原料箱に導入することでコーヒー豆の加温劣化に対しても品質を確保することができるカップ式自動販売機を提供することを目的とする。
【課題を解決するための手段】
【０００９】
上記従来の課題を解決するために、本発明のカップ式自動販売機は、自動販売機内に冷凍サイクルの蒸発器に接続した製氷装置と、前記製氷装置の近傍に原料を保管する原料箱と、前記蒸発機の下流にアキュームレータを配置したカップ式自動販売機において、前記アキュームレータと前記原料箱間にダクトを形成するものである。
【００１０】
これによって、原料箱周囲の空気、または、アキュームレータ近傍の空気を相互に導入することになる。
【００１１】
また、本発明のカップ式自動販売機は、庫内に冷凍サイクルの蒸発器に接続した製氷装置と、前記製氷装置の近傍に原料を保管する原料箱と、前記蒸発機の下流にアキュームレータを配置したカップ式自動販売機において、前記アキュームレータと前記原料箱間に送風ファンを備えるものである。
【００１２】
これによって、原料箱周囲の空気、または、アキュームレータ近傍の空気を相互に効率的に導入することになる。
【００１３】
また、本発明のカップ式自動販売機は、庫内に冷凍サイクルの蒸発器に接続した製氷装置と、前記製氷装置の近傍に原料を保管する原料箱と、前記蒸発機の下流にアキュームレータを配置したカップ式自動販売機において、風上から原料箱、送風ファン、アキュームレータの順に配置するものである。
【００１４】
これによって、原料箱周囲の湿った空気を送風ファンにて効率的にアキュームレータへ導入することになる。
【００１５】
また、本発明のカップ式自動販売機は、庫内に冷凍サイクルの蒸発器に接続した製氷装置と、前記製氷装置の近傍に原料を保管する原料箱と、前記蒸発機の下流にアキュームレータを配置したカップ式自動販売機において、風上からアキュームレータ、送風ファン、原料箱の順に配置するものである。
【００１６】
これによって、アキュームレータ近傍の冷却された空気を送風ファンにて効率的に原料箱へ導入することになる。
【００１７】
また、本発明のカップ式自動販売機は、庫内に冷凍サイクルの蒸発器に接続した製氷装置と、前記製氷装置の近傍に原料を保管する原料箱と、前記蒸発機の下流にアキュームレータを配置したカップ式自動販売機において、風上から原料箱、アキュームレータ、原料箱の順に配置し、原料箱とアキュームレータ間、または、アキュームレータと原料箱間どちらか一方、あるいは、双方に送風ファンを配置するものである。
【００１８】
これによって、風上側の原料箱周囲の湿った空気を冷却されたアキュームレータに導入することで空気中の水分を結露または凍結させて除湿し、アキュームレータにより冷却された空気を加温劣化する風下側の原料箱に導入することで保冷することになる。
【００１９】
また、本発明のカップ式自動販売機は、庫内に冷凍サイクルの蒸発器に接続した製氷装置と、前記製氷装置の近傍に原料を保管する原料箱と、前記蒸発機の下流にアキュームレータを配置したカップ式自動販売機において、前記アキュームレータ下方に廃水容器を配置するものである。
【００２０】
これにより、アキュームレータに結露または凍結した後に融解した水滴を半密閉容器内に導入して貯留させることにより、再蒸発を抑制し、自動販売機庫内の湿度上昇を抑制することになる。
【発明の効果】
【００２１】
本発明のカップ式自動販売機は、固形化しやすい粉末原料を入れた原料箱周囲の湿った空気を冷却されたアキュームレータに導入することで空気中の水分を結露または凍結させて除湿し、さらに、アキュームレータにより冷却された空気を加温劣化する豆等の原料箱に導入することで保冷するという効率的な空気の循環が可能になる。
【００２２】
また、前記アキュームレータに結露または凍結した後に融解した水滴を半密閉容器内に導入して貯留させることにより、再蒸発を抑制し、自動販売機庫内の湿度上昇を抑制することができる。
【発明を実施するための最良の形態】
【００２３】
請求項１に記載の発明は、カップ式自動販売機内に冷凍サイクルの蒸発器に接続した製氷装置と、前記製氷装置の近傍に原料を保管する原料箱と、前記蒸発機の下流にアキュームレータを備え、さらに前記アキュームレータと前記原料箱間にダクトを形成することにより、前記アキュームレータと前記原料箱間の空気を相互に導入することになり、原料箱の除湿や保冷が可能となる。
【００２４】
請求項２に記載の発明は、カップ式自動販売機内に冷凍サイクルの蒸発器に接続した製氷装置と、前記製氷装置の近傍に原料を保管する原料箱と、前記蒸発機の下流にアキュームレータ、前記アキュームレータと前記原料箱間のダクトを備え、さらにダクトに送風ファンを設けることにより、前記アキュームレータと前記原料箱間の空気を相互に効率的に導入することになり、原料箱の除湿や保冷の効率を高めることができる。
【００２５】
請求項３に記載の発明は、カップ式自動販売機内において、風上から原料箱、送風ファン、アキュームレータの順に配置することにより、前記原料箱からの湿った空気を前記アキュームレータに導入することになり、導入された空気中の水分を冷却されたアキュームレータで結露または凍結させることで除湿することができる。
【００２６】
請求項４に記載の発明は、カップ式自動販売機内において、風上からアキュームレータ、送風ファン、原料箱の順に配置することにより、前記アキュームレータで冷却された空気を前記原料箱に導入することになり、原料箱を保冷することができる。
【００２７】
請求項５に記載の発明は、カップ式自動販売機内において、風上から原料箱、アキュームレータ、原料箱の順に配置され、風上側の前記原料箱と前記アキュームレータ間、または、前記アキュームレータと風下側の前記原料箱間のどちらか一方、または、双方に送風ファンを配置することにより、風上側の前記原料箱からの湿った空気を前記アキュームレータに導入し、前記アキュームレータで冷却された空気を風下側の前記原料箱に導入することになり、風上側の原料箱に収納した吸湿により固形化しやすい粉末原料を乾燥させ、風下側の原料箱に入れた高温劣化しやすいコーヒー豆を保冷することができる。
【００２８】
請求項６に記載の発明は、カップ式自動販売機内において、アキュームレータ下方に廃水容器を配置することにより、前記アキュームレータに結露または凍結した後に融解した水滴を半密閉容器内に導入して貯留させることになり、再蒸発を抑制し、自動販売機庫内の湿度上昇を抑制することができる。
【００２９】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３０】
（実施の形態１）
図１は、本発明の実施の形態１におけるカップ式自動販売機の構成を示す平面図である。
【００３１】
図１において、吸湿して固形化しやすい粉末原料１１を収容する原料箱１２、原料箱１２を収容する乾燥庫１３、乾燥庫１３から排気を行うダクト１４、ダクト１４に設けられた送風ファン１５、冷凍サイクルの蒸発器下流にあるアキュームレータ１６、アキュームレータ１６を囲う除湿器１７、送風ファンと除湿器１７を結ぶダクトホース１８、コーヒー豆１９を収容する原料箱２０、原料箱２０を収容する保冷庫２１、除湿器１７から保冷庫２１に吸気を行うダクト２２から構成されている。
【００３２】
以上のように構成されたカップ式自動販売機について、以下その動作、作用を説明する。
【００３３】
まず、吸湿して固形化しやすい原料１１が収容された原料箱１２の周囲にある湿った空気が、送風ファン１５にて乾燥庫１３内からダクト１４、ダクトホース１８を通じて除湿器１７に取込まれて除湿器１７内にあるアキュームレータ１６にあてられる。
【００３４】
以上のように、本実施の形態１においては、アキュームレータ１６は冷凍サイクルの蒸発器下流、かつ蒸発器近傍にあるため、冷凍サイクルが運転中の場合、低温になっており、空気中の水分がアキュームレータ１６にて結露および凝固することで空気中の水分が取除かれることにより、乾燥庫１３内を除湿することができる。
【００３５】
また、除湿器１７内のアキュームレータ１６によって冷却された空気は、ダクト２２を通じて保冷庫２１に取込まれる。
【００３６】
以上のように、本実施の形態１においては、除湿器１７から原料箱２０に冷気を導入することにより、原料箱２０に収容されているコーヒー豆１９は、加温劣化による影響を受けずに、保存期間の延長が可能になる。
【００３７】
（実施の形態２）
図２は、本発明の実施の形態２におけるカップ式自動販売機の除湿器の正面図である。
【００３８】
図２において、除湿器１７は、アキュームレータ１６、ドレン２３、廃水容器２４および廃水容器２４の上面を覆う排水口２５を備える蓋２６から構成される。
【００３９】
まず、アキュームレータ１６で結露および凝固した後に融解した水滴がアキュームから脱落した場合、ドレン２３に落下して廃水容器２４に導かれることにより除湿した水を貯留することができる。
【００４０】
また、蓋２６に設けられた排水口２５は口径が小さくなっており、廃水容器２４に貯留した水が再蒸発して再び庫内湿度が再び上昇することを抑制する効果がある。
【００４１】
以上のように、本実施の形態２においては、除湿器１７から融解した水滴が、廃水容器２４に貯留されるため、定期的に捨てることが可能になり、また、廃水容器２４に貯留した水が再蒸発することを防止することができる。
【産業上の利用可能性】
【００４２】
以上のように、本発明にかかるカップ式自動販売機の原料箱は、吸湿しやすい粉末原料の原料箱を除湿し、加温劣化しやすいコーヒー豆を保冷することが可能となるので、自動販売機に限らず、手動の業務用コーヒーサーバー等にも適用できる。
【図面の簡単な説明】
【００４３】
【図１】本発明の実施形態１におけるカップ式自動販売機の構成を示す平面図
【図２】本発明の実施形態２におけるカップ式自動販売機の除湿器の正面図
【図３】従来のカップ式自動販売機の原料箱の図
【符号の説明】
【００４４】
１１  粉末原料
１２  原料箱
１３  乾燥庫
１４  ダクト
１５  送風ファン
１６  アキュームレータ
１７  除湿器
１８  ダクトホース
１９  コーヒー豆
２０  原料箱
２１  保冷庫
２２  ダクト
２３  ドレン
２４  廃水容器
２５  排水口
２６  蓋
【図１】
2008040653.tif 000003
【図２】
2008040653.tif 000004
【図３】
2008040653.tif 000005